(57)【要約】【課題】フレームにネットを張った構造の座において、着座した人の大腿部がフレームの前端部で突き上げられる現象を防止する。【手段】ネット５は横糸群７と縦糸群８とからなっている。ネット５の前部５ａにおいて横糸群７の密度を高くすることにより、当該前部５ａを高弾性部と成している。ネット５の前部は全体として水平状にピンと張った状態が保持されるため、前部５ａの広い面積で人の大腿部を均等に支持できる。その結果、着座した人の大腿部がフレーム３の前部３ｂに集中的に当たることを防止して、突き上げ感を解消できる。【選択図】　　　図２
2004033542.tif 000002
【特許請求の範囲】
【請求項１】
座を、少なくとも左右側部と前端部とを備えたフレームに弾性変形可能なネット類が張られた構成にしている椅子であって、
前記ネット類のうち前後方向に沿った一部又は複数の部位が、他の部位に比べて弾性力が相対的に高いと共にネット類の左右全幅にわたって広がる高弾性部に形成されている、
椅子。
【請求項２】
前記ネット類のうち少なくとも前部を高弾性部としている、
請求項１に記載した椅子。
【請求項３】
前記ネット類は、正面視で左右方向に延びる横糸群と前後方向（或いは上下方向）に延びる縦糸群とを絡ませた織地又は編地からなっており、縦糸群として高弾性糸を使用しており、かつ、横糸群の密度を高くするか又は糸の断面積を大きくするか若しくは強度の高い素材を使用するかして、ネット類の左右全幅にわたって延びる高弾性部を形成している、
請求項１又は請求項２の何れかに記載した椅子。
【発明の詳細な説明】
【０００１】
【発明の属する技術分野】
本発明は、椅子に関するものである。
【０００２】
【従来の技術】
椅子の一形態として、座体や背もたれを、略四角形等の環状のフレームにネットを張った構造にしたものがある。このタイプの椅子は一般にネット椅子（或いはネットチェア）と呼ばれており、通気性に優れると共に、クッション性に富んでいる利点がある。
【０００３】
このネット椅子に使用されるネットは、縦糸群と横糸群とを絡ませた織地が一般に使用されており、少なくとも一方の糸群に弾性糸（高弾性糸）を使用することによってネットの弾性変形を許容し、以って、クッション性とフィット性とを確保している。
【０００４】
ところで、ネット椅子においては、着座した人の大腿部にフレームの前端がネットを介して当たって、すなわち、フレームの前端部で大腿部を突き上げられる現象が生じて、使用者に違和感や不快感を与えることがあった。この点について従来は、フレームの前端部とネットとの間にウレタンゴムのようなクッション材を介在させることにより、フレームの前端による大腿部の突き上げ防止を図っている。
【０００５】
【発明が解決しようとする課題】
しかし、従来のようにウレタンゴムを介在させると、それだけ部品点数が増えるため、部品の管理の手間や組み立ての手間が増えることになる。
【０００６】
本発明は、このような現状を改善することを課題とするものである。
【０００７】
【課題を解決するための手段】
前記目的を達成するため、請求項１の発明は、座を、少なくとも左右側部と前端部とを備えたフレームに弾性変形可能なネット類が張られた構成にしている椅子であって、前記ネット類のうち前後方向に沿った一部又は複数の部位が、他の部位に比べて弾性力が相対的に高いと共にネット類の左右全幅にわたって広がる高弾性部に形成されている。
【０００８】
請求項２では、請求項１の好適な態様として、前記ネット類のうち少なくとも前部を高弾性部としている。
【０００９】
請求項３の発明は、請求項２において、前記ネット類は、正面視で左右方向に延びる横糸群と前後方向（或いは上下方向）に延びる縦糸群とを絡ませた織地又は編地からなっており、縦糸群として高弾性糸を使用しており、かつ、横糸群の密度を高くするか又は糸の断面積を大きくするか若しくは強度の高い素材を使用するかして、ネット類の左右全幅にわたって延びる高弾性部を形成している。
【００１０】
なお、ネット類の弾性力の高低は相対的なものであるので、ネットに高弾性部を設けることは、逆に見ると、ネット類に低弾性部を設けることと同じことになる。従って、本発明は、ネット類の弾性力が前後方向（背たれの場合は上下方向）に沿って見て一様にはなっておらず、相対的に弾性力の高い部分と低い部分とが前後に隣合った状態でかつ左右全幅にわたって広がるように形成されているということができる。
【００１１】
また、弾性力の具体的な数値は、椅子の用途や使用対象者などの各種の要請に応じて設定したらよい（例えば大人用の椅子と子供用の椅子とでは弾性力の絶対値は相違する）。
【００１２】
本発明は、座用フレームと背用フレームとを一体に構成して座用ネット類と背用ネット類とを一連に連続させた状態の椅子にも適用することができる。
【００１３】
また、ネット類とは、その周縁部をフレームに固定することによって人の身体を受けるようになっている薄状材を総称するもので、織地や編地には限らず、子例えば横糸群と縦糸群とを重ねてその交叉部を溶着又は接着させたものや、強靱なフィルム（多孔性又は穴なしの両方を含む）も含まれる。ネット類の厚さや構造などには限定はなく、積層構造とすることも可能である。
【００１４】
【発明の作用・効果】
本発明によると、座や背もたれの特定の部位が身体に強く当たって人に圧迫感や違和感を与えることやネット類の特定の部位が沈み込み過ぎるような不具合を、防止または著しく抑制できる。
【００１５】
例えば請求項２のようにネットの前部を高弾性部にすると、ネットの前端部は強く張った状態が保持されるため、着座した人の大腿部を広い面積で均等に支持することができ、大腿部がフレームの前端部に集中的に当たる現象は生じない。すなわち、フレームの前端部による大腿部の突き上げ現象を防止できる。
【００１６】
この場合、クッション材のような別部材は必要としないため、部品管理の手間や組み立ての手間が増えることはない。従って、本発明によると、部品管理の手間や組み立ての手間を増やすことなく、使用者に快適な座り心地を与えることができる。
【００１７】
請求項３のように構成すると、ネット類として織地または編地をそのまま使用できるため、フレームへにネット類を貼る張り作業をより簡単に行えることができ、また、横糸群に高弾性糸を使用しているため、クッション性を確実に保持できるのみならず、左右全幅にわたって延びる高弾性部を簡単に形成することができる利点がある。
【００１８】
【発明の実施形態】
次に、本発明の実施形態を図面に基づいて説明する。
【００１９】
（１）．第１実施形態（図１〜図４）
図１〜図７では第１実施形態を示している。図１は座１と背もたれ２とを備えた椅子の斜視図、図２は座１の一部破断平面図、図３は図２の　ＩＩＩ−ＩＩＩ視断面図、図４はネットの一例を示す平面図である。
【００２０】
座１及び背もたれ２とも、それぞれ環状のフレーム３，４にネット５，６を張った構造になっている。座用フレーム３は、前後方向に延びる左右側部３ｃと左右方向に延びる前部３ｂ及び後部３ｃとで平面視略角形に形成されている。
【００２１】
ネット５，６をフレーム３，４に固定する手段は、接着剤による接着、押さえ部材による固定、一体成形などの様々の方法を採用できる。
【００２２】
両ネット５，６とも、椅子の正面視で左右方向に延びる横糸群７と、椅子の正面視で前後方向又は上下方向に延びる縦糸群８とを絡ませた織地又は編地を使用している。本実施形態では、横糸群７にエラストマー系モノフィラメントのようにな高弾性糸を使用し、縦糸群８には非弾性糸を使用している。
【００２３】
もちろん、両糸群７，８とも高弾性糸を使用しても良いし、或いは、横糸群７には高弾性糸を使用して、縦糸群８には更に弾性が高い超高弾性糸を使用することなども可能である。
【００２４】
そして、座用ネット５については、縦糸群８の密度は全体にわたって一様であるが、前部５ａにおける横糸群８の織込み本数（又は編み込み本数）の密度を高くすることにより、当該座用ネット５の前部５ａを、その他の部位よりも弾性力が高い高弾性部と成している。
【００２５】
座用ネット５の前部５ａは、その左右全幅にわたって高弾性部になっている。図４では、最も単純な例として、平織を例に挙げて、前部を織り密度を異ならせている状態を示している。
【００２６】
以上の構成において、座用ネット５の前部５ａは高弾性部になっているため、人の大腿部が前部５ａに当たった場合、前部５ａの広い面積で大腿部を均等に支持することができる。このため、座用フレーム３の前部３ｂが人の大腿部に強く当たることはないのであり、その結果、圧迫感や突き上げ感を防止して、使用者は快適な座り心地を得ることができる。
【００２７】
なお、高弾性部の後部において横糸群７の密度を徐々に変えることにより、座用ネット５の弾性力を徐々に変化させても良い。
【００２８】
（２）．第２実施形態（図５）
図５では第２実施形態を示している。すなわちこの実施形態では、座用ネット５を前部５ａと第１中間部５ｂと第２中間部５ｃと後部５ｄとの４つのゾーンに分けて、前部５ａと第２中間部５ｃとを、第１中間部５ｂ及び後部５ｄよりも弾性力が高い高弾性部となしている。
【００２９】
この例では、着座した人の臀部は主として第２中間部５ｃに当たるようになっており、このため、第２中間部５ｃが沈み込み過ぎることを防止できる利点がある。
【００３０】
なお、各部位５ａ〜５ｄの境界部での横糸群７の密度を徐々に変えることにより、弾性力を徐々に変化させても良い。また、４つの部位５ａ〜５ｄの弾性力を、前部５ａから順に「大→小→特大→中」としたり、「大→中→大→小」とするなど、各部位の弾性力を３段階以上に異ならせることも可能である。
【００３１】
人の臀部があたる部分だけを高弾性部として、その他の部位での弾性力を一様に設定することも可能である。
【００３２】
（３）．第３実施形態（図６）
図６は座用フレーム３の別例である第３実施形態の正面図であり、この実施形態では、座用フレーム３は、その前端部３ｂが後端部３ｃよりも低くなっており、かつ、左右側部３ａの前部は下向きに緩く湾曲している。
【００３３】
（３）．原反からのネットの切り出しの例
背もたれ２の場合も、背用フレーム４の上部４ａや下部４ｂが人の背中や腰に強く当たることがあり得る。背用フレーム４の上部４ａが背中に当たる場合は、図７に示すように、背用ネット６の上部６ａを横糸群の密度が大きい高弾性部と成したら良い。
【００３４】
他方、ネットの素材は長尺の原反がロール状に巻かれているのが一般的であり、これを所定の大きさに切断して使用することが多いが、図８では、座用ネット５と背用ネット６との両方について弾性力を異ならせた場合、原反９からの座用ネット５と背用ネット６とを切り出す方法の一例を示している。
【００３５】
すなわち、この実施形態では、椅子における横糸群７は、織り方法の通常の意味では、シャトルで飛ばされない経糸１０となって、椅子における縦糸群８は、織り方法の通常の意味では、シャトルによって往復移動する緯糸１１となっており、原反９は、座用ネット５と背用ネット６とを同時に取ることのできる幅寸法に設定されている。
【００３６】
このように、通常の意味での経糸１０及び緯糸１１を椅子において縦横逆の関係をすることにより、原反９を全長にわたって同一構造となるように能率良く織り上げつつ、座用及び背用ネット５，６を効率的に切り出すことができる。
【００３７】
もちろん、素材の織地は、通常の意味での緯糸が座及び背もたれにおいて左右方向に延びるようにして織っても良いのである。
【００３８】
（４）．第２実施形態（図９〜図１１）
図９〜図１１では、ネットの構造の別例を示している。図９は立体的に表示した図、図１０は平面的に表示した図、図１１は作用の説明図である。
【００３９】
本実施形態では、長く延びる経糸１０はウレタン糸を含むマルチフィラメントに撚りかけたスパンデックスが使用されており、緯糸１１は、エラストマーよりなるモノフィラメントのような高弾性糸が使用されている。
【００４０】
この実施形態では、経糸１０と緯糸１１とを絡ませるにおいて、２本ずつの緯糸１１によって２本のずつの経糸１０を交互に抱き込んだ状態になっているが、この場合、一対ずつの緯糸１１による経糸１１の対の抱き込み状態を順次ずらしている。
【００４１】
すなわち、図１０の符号を引用して説明すると、ａの対の緯糸１０では、１番と２番の経糸１０、３番と４番の経糸１０、５番と６番の経糸１０というように奇数番を頭とした２本の経糸１１を抱き込み、隣に位置したｂの対の緯糸１１では、２番と３番の経糸１１、４番と５番の経糸１０、と言うように偶数を頭にした２本の経糸１６を抱き込む、というように、２本ずつの緯糸１１による２本ずつの経糸１０の抱き込み状態を、交互にずらしているのである。
【００４２】
２本の緯糸１１による経糸１０の抱き込みにより、当該２本の経糸１０は互いに近づくように寄せられるが、緯糸１１の対による抱き込み状態が順次ずれているため、図１１に模式的に示すように、各経糸１０はその長手方向に蛇行する状態を呈することになり、このため、織地の長さＬよりも実際の経糸１０の長さは長くなる。
【００４３】
すなわち、織地において経糸１０は厚さ方向にも蛇行するが、本実施形態では経糸１０は平面視でも蛇行するため、経糸１０は大きく伸び得るような状態になっており、このため、ネット５，６は全体として伸びの許容範囲が高まって、クッション性をより向上させることができる。
【００４４】
この図９〜１１の実施形態のネットを第１実施形態や第２実施形態に適用する場合は、経糸１０の群を縦糸群８となし、緯糸１１の群を横糸群７となすことになる。従って、緯糸１１の群の織り込み密度を高くすることによって高弾性部が形成されることになる。
【００４５】
（５）．その他
本発明は、上記の実施形態の他にも様々に具体化することができる。例えば、フレームは、座用ネットの下方に大きな空間が空く状態になっておれば足りるのであり、従って、例えば正面視上向き凹状や椀状の形態であっても良い。
【００４６】
また、例えばロッキング時に背用フレームの上端部が人の背中に当たる傾向を呈するのであれば、背用ネットの上部を高弾性部とすれば良く、逆に、背用フレームの下部で腰が突き出される現象が生じるのであれば、背用ネットの下部を高弾性部としたら良い。上下両部を高弾性部とすることも可能である。
【図面の簡単な説明】
【図１】第１実施形態に係る椅子の座体の斜視図である。
【図２】座の一部破断平面図である。
【図３】図２の　ＩＩＩ−ＩＩＩ視断面図である。
【図４】ネットの一例を示す平面図である。
【図５】第２実施形態に係る座の平面図である。
【図６】第３実施形態に係る座用フレームの正面図である。
【図７】座用疎と背用ネットとの概略斜視図である。
【図８】原反からネットを切り出す一例を示す図である。
【図９】第３実施形態に係るネットを立体的に示した図である。
【図１０】第３実施形態に係るネットの平面図である。
【図１１】第３実施形態の糸の状態を示す概略図である。
【符号の説明】
１　座
２　背もたれ
３　座用フレーム
４　背もたれ用フレーム
５　座用ネット
６　背もたれ用ネット
７　横糸群
８　縦糸群
【図１】
2004033542.tif 000003
【図２】
2004033542.tif 000004
【図３】
2004033542.tif 000005
【図４】
2004033542.tif 000006
【図５】
2004033542.tif 000007
【図６】
2004033542.tif 000008
【図７】
2004033542.tif 000009
【図８】
2004033542.tif 000010
【図９】
2004033542.tif 000011
【図１０】
2004033542.tif 000012
【図１１】
2004033542.tif 000013